(57)【要約】【課題】超音波診断装置を用いてストレスエコー検査を行う場合に、各シーンごとに格納される複数の動画像（ブロック）を適切に処理する。【解決手段】ユーザーによって取込指令１０１が与えられると、シネメモリ上においてブロックセット１０６が特定される。各ブロック１０７ごとにユーザーによってランクが付与される。ランクに応じて各ブロックが処理される。その処理には転送処理、廃棄処理、表示処理が含まれる。より優先度の高いブロックについては早期に転送が行われ、またより長い期間にわたって上書き禁止状態とされる。更に順位が高いブロックについてはより優先的に表示される。【選択図】図２
2005304758.tif 000002
【特許請求の範囲】
【請求項１】
超音波の送受波により得られるフレーム列を一時的に格納する記憶部と、
前記記憶部に格納されたフレーム列の中から、処理対象として、動画像を構成するフレームブロックを特定するブロック特定手段と、
前記フレームブロックに対して、複数の処理ランクの中からいずれかの処理ランクを付与するランク付与手段と、
前記フレームブロックをそれに付与された処理ランクに従って処理する手段であって、その処理ランクに応じたタイミングで当該フレームブロックを保存先へ転送する転送処理部を有するブロック処理手段と、
を含むことを特徴とする超音波診断装置。
【請求項２】
請求項１記載の装置において、
前記複数の処理ランクには、少なくとも、先転送に関連付けられた処理ランク及び後転送に関連付けられた処理ランクが含まれ、
前記転送処理部は、前記先転送に関連付けられた処理ランクが付与されたフレームブロックを第１の転送タイミングで転送し、前記後転送に関連付けられた処理ランクが付与されたフレームブロックを前記第１のタイミングよりも後の第２のタイミングで転送することを特徴とする超音波診断装置。
【請求項３】
請求項２記載の装置において、
複数の取込工程を順次実行して一連の検査が完結する場合において、各取込工程では前記フレームブロックの特定及び前記処理ランクの付与が実行され、
前記第１のタイミングは、現在の取込工程の実行中又は次の取込工程の実行中に設定され、
前記第２のタイミングは、前記複数の取込工程後の完結後に設定されることを特徴とする超音波診断装置。
【請求項４】
請求項１記載の装置において、
前記ブロック処理手段は、更に、前記処理ランクに応じたタイミングで前記フレームブロックを廃棄する廃棄処理部を有することを特徴とする超音波診断装置。
【請求項５】
請求項４記載の装置において、
複数の取込工程を順次実行して一連の検査が完結する場合において、各取込工程では前記フレームブロックの特定及び前記処理ランクの付与が実行され、
前記廃棄処理部は、先廃棄に関連付けられた処理ランクが付与されたフレームブロックについては第３のタイミングで廃棄状態とし、後廃棄に関連付けられた処理ランクが付与されたフレームブロックについては前記第３のタイミングより後の第４のタイミングで廃棄状態とすることを特徴とする超音波診断装置。
【請求項６】
請求項５記載の装置において、
複数の取込工程を順次実行して一連の検査が完結する場合において、各取込工程では前記フレームブロックの特定及び前記処理ランクの付与が実行され、
前記第３のタイミングは、現在の取込工程の実行中又は次の取込工程の実行中に設定され、
前記第４のタイミングは、前記複数の取込工程の完結後に設定されることを特徴とする超音波診断装置。
【請求項７】
請求項１記載の装置において、
前記ブロック処理手段は、更に、前記フレームブロックについての動画像を前記処理ランクに応じた順位で表示する表示処理部を有することを特徴とする超音波診断装置。
【請求項８】
請求項１記載の装置において、
前記フレームブロックは１又は複数の心拍に相当する複数のフレームによって構成されることを特徴とする超音波診断装置。
【請求項９】
請求項１記載の装置において、
前記ブロック特定手段は、ユーザーによる取込指令が入力されたタイミングに応じて、１又は複数のフレームブロックを特定することを特徴とする超音波診断装置。
【請求項１０】
請求項１記載の装置において、
前記処理ランクの付与に先立って、前記記憶部から前記フレームブロックを読み出してそれを動画像として表示する再生制御手段が設けられ、
前記動画像を観察したユーザーの指示に従って前記フレームブロックに対して処理ランクが付与されることを特徴とする超音波診断装置。
【請求項１１】
請求項１記載の装置において、
前記フレームブロックに対して、処理ランク識別子を含む属性情報を対応付ける属性情報管理手段を含み、
前記ブロック処理手段は、前記フレームブロックに対応付けられた属性情報に従って当該フレームブロックの処理を実行することを特徴とする超音波診断装置。
【請求項１２】
請求項１記載の装置において、
各処理ランクに対応する処理内容を定義するカスタマイズ手段を含むことを特徴とする超音波診断装置。
【請求項１３】
超音波の送受波により得られるフレーム列を一時的に格納する記憶部と、
ユーザーによって取込指令が入力されたタイミングに従って、前記記憶部に格納されたフレーム列の中から、処理対象として、それぞれが所定単位の動画像を構成する複数のフレームブロックを特定するブロック特定手段と、
前記記憶部から前記複数のフレームブロックを読み出して、それらを複数の動画像として表示する再生制御手段と、
前記複数の動画像を参照したユーザーの指示に従って、前記各フレームブロックに対して、複数の処理ランクの中からいずれかの処理ランクを付与するランク付与手段と、
前記各フレームブロックをそれに付与された処理ランクに従って処理するブロック処理手段と、
を含むことを特徴とする超音波診断装置。
【請求項１４】
請求項１３記載の装置において、
前記ブロック処理手段は、
前記各フレームブロックをそれに付与された処理ランクに応じた優先度で転送する転送処理部と、
前記各フレームブロックをそれに付与された処理ランクに応じた優先度で廃棄する廃棄処理部と、
前記各フレームブロックをそれに付与された処理ランクに応じた優先度で表示する表示処理部と、
を含むことを特徴とする超音波診断装置。
【請求項１５】
請求項１３記載の装置において、
ストレスエコー検査においてステージとビューの組み合わせごとに前記ユーザーによって取込指令が入力され、前記取込指令ごとに取得される複数のフレームブロックに対して処理ランクが個別的に付与されることを特徴とする超音波診断装置。
【発明の詳細な説明】
【技術分野】
【０００１】
本発明は超音波診断装置に関し、特に優先度に応じたデータ処理に関する。
【背景技術】
【０００２】
超音波診断装置には、リングバッファあるいは一時記憶部として構成されるシネメモリが設けられる。シネメモリには、超音波の送受波によって得られたデータが一時的に格納される。その格納単位はライン（ラインデータ）又はフレーム（フレームデータ）である。１フレームは１つの走査面あるいは１つの超音波画像に相当し、１ラインは超音波ビーム１本に相当する。リアルタイム診断中においてフリーズ操作がなされると、送受信動作が停止し、そのフリーズ状態において必要に応じてシネメモリからデータを読み出して、それを動画像として再生することができる。シネメモリは一般に揮発性の記憶媒体によって構成され、超音波診断装置の電源をオフにすると、あるいは、次のデータが上書きされると、そこに既に格納されたデータは消去される。よって、通常、シネメモリ上における重要なデータを保存するために、そこに格納されたデータがシネメモリからハードディスクなどの不揮発性の記憶媒体へ転送される。
【０００３】
ところで、いわゆるストレスエコー検査においては、ある患者について、複数の負荷段階（ステージ）が設定され、各負荷段階において複数のアングル（ビュー）から超音波診断が行われる。すなわち、ステージとビューの組み合わせとして特定されるシーン（つまり取込工程）ごとに超音波診断が実行され、その際に取得される動画像が保存される。その保存単位は例えば１心拍である。全シーンについて動画像が取得された後、複数のシーンが特定されて複数の動画像が同期再生され、複数の動画像を対比観察することによって、循環器に関する疾患が診断される。
【０００４】
特許文献１には、連続する複数の心拍にわたるデータを記憶部から外部記憶装置へ転送する技術が開示されている。特許文献２には、シネメモリを２分割して各分割領域をリングバッファとして利用する技術が開示されている。
【０００５】
【特許文献１】特開平６−２６９４５５号
【特許文献２】特開平２−６３４４７号
【発明の開示】
【発明が解決しようとする課題】
【０００６】
上記のように、シネメモリ上のデータは、必要に応じて、保存先の装置へ転送されるが、データ取得の都度、取り込まれた動画像をすべて転送すると、その転送制御を行うプロセッサに負担がかかり、リアルタイム診断の開始が遅れたり、そのために装置のパフォーマンスが低下するという問題がある。また、すべての取込が終了した後に必要な全データを一括転送すると、どうしても転送データ量が増大し、次の処理を速やかに実行させることができなくなる。また、シネメモリ上のデータは上書き、電源オフなどの事象によって消去されてしまうため、データ保全の観点から重要なデータほど早めに保存しておくのが理想である。シネメモリ上のデータの廃棄については、データの後の利用可能性、記憶領域の効率的な利用、などの観点から、その重要度に応じた処理が望まれる。更に、同じシーンに対して複数の動画像が格納されている場合に、ユーザーの便宜、検査時間の短縮化、などのために重要度に応じた順番で動画像を選択して表示することが求められる。従来装置においては、保存対象となったデータごとにその重要度に応じて相応しい処理を適用することは行われていない。
【０００７】
本発明の目的は、一時的に記憶されるフレームブロックの重要度に応じて適切な処理を遂行することにある。
【０００８】
本発明の他の目的は、データ転送を担当するプロセッサに生じる負荷を分散してレスポンス良く装置を動作させることにある。
【０００９】
本発明の他の目的は、データの重要度に応じて適切な管理を行うことにある。特に、重要度に応じたデータの保全を実現し、あるいは、重要度に応じて適切な順位でイメージを表示できるようにすることにある。
【課題を解決するための手段】
【００１０】
（１）本発明は、超音波の送受波により得られるフレーム列を一時的に格納する記憶部と、前記記憶部に格納されたフレーム列の中から、処理対象として、動画像を構成するフレームブロックを特定するブロック特定手段と、前記フレームブロックに対して、複数の処理ランクの中からいずれかの処理ランクを付与するランク付与手段と、前記フレームブロックをそれに付与された処理ランクに従って処理する手段であって、その処理ランクに応じたタイミングで当該フレームブロックを保存先へ転送する転送処理部を有するブロック処理手段と、を含むことを特徴とする。
【００１１】
上記構成において、記憶部は、フレーム列を時系列順で一時的に格納する記憶装置として構成され、ここで、記憶部は望ましくはリングバッファ構造を有するシネメモリである。記憶部から、所定単位の動画像を構成するフレームブロックが別の記憶装置へ転送されるが、その際に、フレームブロックに対して付与された処理ランクに従って転送処理がなされる。処理ランクはフレームブロックについての重要度、優先度、カテゴリーなどを表すものであり、望ましくはユーザーによって指定されるが、場合によっては、他の情報を参照してそれに基づいて自動的に指定してもよい。いずれにしても、処理ランクに従ったタイミングでフレームブロックが保存先へ転送されることになるので、従来のように、いずれのフレームブロックに対しても一律あるいは画一的に転送処理を行う場合に生じる問題（例えば転送処理負荷の集中）を緩和、解消できる。
【００１２】
処理ランクとしては、２つ又はそれ以上の順位あるいはカテゴリーを設けることができ、各処理ランクの内容は装置上に固定的に設定されるようにしてもよいし、ユーザーがカスタマイズできるようにしてもよい。フレームブロックは１つの動画像を構成するものであり、望ましくは１心拍あるいは数心拍の動画像に相当するものである。フレームブロックは、スキャンコンバート前の送受波フレームであってもよいし、スキャンコンバート後の表示フレームであってもよい。上記の構成は、特にストレスエコー検査に適用するのが望ましいが、シネメモリ上のデータを処理する場合一般に適用可能である。ストレスエコー検査では、望ましくは、各取込工程ごとに１又は複数のフレームブロック（つまり、１又は複数の動画像に相当するデータ）が特定され、また各取込工程ごとに各フレームブロックに対して処理ランクが付与される。
【００１３】
望ましくは、前記複数の処理ランクには、少なくとも、先転送に関連付けられた処理ランク及び後転送に関連付けられた処理ランクが含まれ、前記転送処理部は、前記先転送に関連付けられた処理ランクが付与されたフレームブロックを第１の転送タイミングで転送し、前記後転送に関連付けられた処理ランクが付与されたフレームブロックを前記第１のタイミングよりも後の第２のタイミングで転送する。
【００１４】
上記構成によれば、重要なフレームブロックについては早期のタイミングで転送を行ってデータ安全性を優先でき、あまり重要でないフレームブロックについては後のタイミングで転送を行って転送負荷を分散化できる。第１のタイミングと第２のタイミングは相対的な前後関係にあり、各タイミングは、一連の工程における特定時期に固定的に設定されてもよいし、プロセッサの負担などを考慮して適応的に設定されてもよい。このように、複数段階のランクが設定される場合、ランクレベルに応じて転送順位が規定されることになる。
【００１５】
望ましくは、複数の取込工程を順次実行して一連の検査が完結する場合において、各取込工程では前記フレームブロックの特定及び前記処理ランクの付与が実行され、前記第１のタイミングは、現在の取込工程の実行中又は次の取込工程の実行中に設定され、前記第２のタイミングは、前記複数の取込工程の完結後に設定される。
【００１６】
上記構成によれば、重要なフレームブロックはその取込後速やかに転送されて保存されることになり（リアルタイム超音波診断の実行中に転送することも可能である）、一方、あまり重要でないフレームブロックについてはプロセッサの負担が大きいリアルタイム超音波診断が完了した後に転送できる。第２のタイミングは、複数の取込工程の完結タイミングの直後に設定されてもよいし、複数の取込工程の後に画像観察が行われて検査や診断が全部終了した後のタイミングに設定されてもよい。
【００１７】
望ましくは、前記ブロック処理手段は、更に、前記処理ランクに応じたタイミングで前記フレームブロックを廃棄する廃棄処理部を有する。この構成によれば、重要なフレームブロックについては保全の必要性がある期間にわたってその上書きを禁止でき、あまり重要でないフレームブロックについては早めにその記憶領域を開放でき、記憶部における記憶領域を有効活用できる。後の時点で処理ランクが変更できるような場合、直ちに廃棄決定できるフレームブロック以外については一定期間にわたって上書き禁止状態とするのが望ましい。
【００１８】
望ましくは、複数の取込工程を順次実行して一連の検査が完結する場合において、各取込工程では前記フレームブロックの特定及び前記処理ランクの付与が実行され、前記廃棄処理部は、先廃棄に関連付けられた処理ランクが付与されたフレームブロックについては第３のタイミングで廃棄状態とし、後廃棄に関連付けられた処理ランクが付与されたフレームブロックについては前記第３のタイミングより後の第４のタイミングで廃棄状態とする。
【００１９】
上記構成によれば、重要でないフレームブロックについては早期に廃棄して記憶領域を開放でき、あるいは、データ管理上の負担から逃れることができ、一方、重要なフレームブロックについては必要なタイミングまでそれを保全状態できる。第３のタイミングと第４のタイミングは相対的な前後関係にあり、各タイミングが固定的な時期に設定されていてもよいし、適応的に設定されてもよい。
【００２０】
望ましくは、複数の取込工程を順次実行して一連の検査が完結する場合において、各取込工程では前記フレームブロックの特定及び前記処理ランクの付与が実行され、前記第３のタイミングは、現在の取込工程の実行中又は次の取込工程の実行中に設定され、前記第４のタイミングは、前記複数の取込工程の完結後に設定される。この構成によれば、重要でないフレームブロックは、例えば、現在の取込工程の最後にあるいは次の取込工程の最初に廃棄される。その一方、重要なフレームブロックは全取込工程が終了するまで保存されるのでデータの安全性が図られる。第４のタイミングは、複数の取込工程の完結タイミングの直後に設定されてもよいし、複数の取込工程の後に画像観察が行われて検査や診断が全部終了した後のタイミングに設定されてもよい。
【００２１】
望ましくは、前記ブロック処理手段は、更に、前記フレームブロックについての動画像を前記処理ランクに応じた順位で表示する表示処理部を有する。この構成によれば、例えば、ストレスエコー検査において、各シーンごとに複数のフレームブロック（複数の動画像）が格納された場合、各シーンごとに動画像の表示順位を自動的に設定できるので、ユーザーの便宜を図れ、またより重要な動画像をより優先的に表示させることができるので、検査を効率化できる。あるシーンについて最初に表示された動画像以外を観察したい場合には次の順位の動画像が表示され、これが繰り返される。
【００２２】
望ましくは、前記フレームブロックは１又は複数の心拍に相当する複数のフレームによって構成される。望ましくは、前記ブロック特定手段は、ユーザーによる取込指令が入力されたタイミングに応じて、１又は複数のフレームブロックを特定する。この取込指令は望ましくはフリーズ操作である。取込指令が入力されたタイミングから遡って１又は複数のフレームブロックが特定されるようにしてもよいし、取込指令が入力されたタイミング以降の１又は複数のフレームブロックが特定されるようにしてもよいし、取込指令が入力されたタイミングを基準としてその前後にわたって１又は複数のフレームブロックが特定されるようにしてもよい。なお、例えば心電図上で異常が検知された場合、各フレームの超音波画像の解析によって異常が検知された場合、などをトリガとして、取込指令を自動生成するようにしてもよい。
【００２３】
望ましくは、前記処理ランクの付与に先立って、前記一時記憶部から前記フレームブロックを読み出してそれを動画像として表示する再生制御手段が設けられ、前記動画像を観察したユーザーの指示に従って前記フレームブロックに対して処理ランクが付与される。この構成によれば、動画像を実際に観察して、あるいは、複数の動画像を対比観察しながら、処理ランクを容易且つ適切に設定できる。
【００２４】
望ましくは、前記フレームブロックに対して、処理ランク識別子を含む属性情報を対応付ける属性情報管理手段を含み、前記ブロック処理手段は、前記フレームブロックに対応付けられた属性情報に従って当該フレームブロックの処理を実行する。
【００２５】
望ましくは、各処理ランクに対応する処理内容を定義するカスタマイズ手段を含む。この構成によれば、様々なアプリケーションに対応して、各処理ランクに対応する処理内容を最適化できる。
【００２６】
（２）また本発明は、超音波の送受波により得られるフレーム列を一時的に格納する記憶部と、ユーザーによって取込指令が入力されたタイミングに従って、前記記憶部に格納されたフレーム列の中から、処理対象として、それぞれが所定単位の動画像を構成する複数のフレームブロックを特定するブロック特定手段と、前記記憶部から前記複数のフレームブロックを読み出して、それらを複数の動画像として表示する再生制御手段と、前記複数の動画像を参照したユーザーの指示に従って、前記各フレームブロックに対して、複数の処理ランクの中からいずれかの処理ランクを付与するランク付与手段と、前記各フレームブロックをそれに付与された処理ランクに従って処理するブロック処理手段と、を含むことを特徴とする。
【００２７】
上記構成によれば、複数のフレームブロックについて個別的に処理ランクを設定して、その優先度あるいは重要度に応じて各フレームブロックの処理を行えるので合理的である。特に処理負荷を分散化できる。処理の内容としては、例えば、転送処理、廃棄処理、表示処理などであるが、それ以外であってもよい。いずれにしても重要度に応じて処理順位あるいは処理内容を切り換えることによって、合理的なデータ管理及び処理を実現できる。なお、複数のフレームブロックは、互いに連続する関係にあってもよいし、時間的に相互に隔てられたものであってもよい。
【００２８】
望ましくは、前記ブロック処理手段は、前記各フレームブロックをそれに付与された処理ランクに応じた優先度で転送する転送処理部と、前記各フレームブロックをそれに付与された処理ランクに応じた優先度で廃棄する廃棄処理部と、前記各フレームブロックをそれに付与された処理ランクに応じた優先度で表示する表示処理部と、を含む。
【００２９】
望ましくは、ストレスエコー検査においてステージとビューの組み合わせごとに前記ユーザーによって取込指令が入力され、前記取込指令ごとに取得される複数のフレームブロックに対して処理ランクが個別的に付与される。
【発明の効果】
【００３０】
以上説明したように、本発明によれば、フレームブロックの重要度に応じて適切な処理を選択的に適用できる。本発明によれば、データ転送を担当するプロセッサに生じる負荷を分散してレスポンス良く装置を動作させることができる。本発明によれば、データの重要度に応じて適切な管理を行える。本発明によれば、重要度に応じたデータの保全を実現し、あるいは、重要度に応じて適切な順位で記憶情報を表示できる。
【発明を実施するための最良の形態】
【００３１】
以下、本発明の好適な実施形態を図面に基づいて説明する。
【００３２】
図１には、本発明に係る超音波診断装置の好適な実施形態が示されており、図１はその全体構成を示すブロック図である。本実施形態に係る超音波診断装置は、特にストレスエコー検査に対応した動作モードを有している。ストレスエコー検査においては、複数段階のステージが設定され、各ステージごとに複数のビューが設定される。本実施形態では、後に説明するように４つのステージ及び４つのビューが設定され、これによって１６シーンについて１６回の取込工程が実行される。もちろん、ステージの段数及びビューの個数についてはユーザーによって適宜設定可能である。また、本発明はストレスエコー検査に特に好適なものであるが、それ以外の診断に対しても適用できる。
【００３３】
図１において、プローブ１０は超音波の送受波を行う超音波探触子であり、そのプローブ１０は生体の表面上に当接して用いられあるいは体腔内に挿入して用いられるものである。プローブ１０は複数の振動素子からなるアレイ振動子を有している。アレイ振動子によって超音波ビームが形成され、その超音波ビームは電子走査される。その電子走査方式としては、電子リニア走査、電子セクタ走査などが知られている。ちなみに、プローブ１０が例えば２Ｄアレイ振動子を有し、その２Ｄアレイ振動子によって生体内における三次元空間内のデータを取り込むようにしてしてもよい。
【００３４】
送信部１２は送信ビームフォーマーとして機能し、アレイ振動子を構成する複数の振動素子に対して送信信号を供給する。一方、受信部１４は受信ビームフォーマーとして機能し、アレイ振動子を構成する複数の振動素子から出力される複数の受信信号に対して整相加算処理を実行する。その処理後の受信信号（エコーデータ）は図示されていない信号処理部を経てＤＳＣ１６へ出力されている。
【００３５】
ＤＳＣ（デジタルスキャンコンバータ）１６は、エコーデータに対する座標変換、補間処理などの各種処理を実行し、これによって超音波画像としてのＢモード画像（二次元断層画像）を形成する。ＤＳＣ１６に対しては、受信部１４から送受波フレーム単位でエコーデータが時系列順で入力され、ＤＳＣ１６は表示フレーム単位で画像データを時系列順で出力する。ここで、送受波フレームは複数のビームデータによって構成されるものであり、表示フレームは一画面を構成するラスタースキャンデータによって構成されるものである。
【００３６】
ＤＳＣ１６から出力されるフレーム列（フレームデータ列）は表示処理部１８へ出力される他、シネメモリ２４へ送られる。但し、ＤＳＣ１６からシネメモリ２４を経由して表示処理部１８へフレーム列を出力させるようにしてもよい。
【００３７】
表示処理部１８は、複数の超音波画像を並べて合成する機能、各超音波画像に対してグラフィック画像を合成する機能などを有している。表示処理部１８から出力される表示画像のデータは表示器２０へ出力され、表示器２０における表示画面上には表示画像が表示される。
【００３８】
シネメモリ２４は、揮発性のメモリによって構成され、シネメモリ２４は本実施形態においてリングバッファ構造を有する。すなわち、符号２３で示されるように、ＤＳＣ１６から出力される時系列順のフレーム列が順番にシネメモリ２４上に順次格納されるが、その際、上書き禁止などの制御がなされないフレームについては古いものから順番に新しいフレームが上書きされている。後に詳述するように、シネメモリ２４から一定単位のフレーム列すなわちフレームブロックを読み出して、表示処理部１８を経由してそれを動画像として表示器２０上に表示させることもできる。それが符号２５によって示されている。
【００３９】
ホストプロセッサ２２は、単一のプロセッサあるいは複数のプロセッサの集合体として構成され、図１に示される各構成の動作制御を行っている。特に、本実施形態においてはホストプロセッサ２２が、以下に詳述する各フレームブロックごとにランク（処理ランク）を付与する機能を有し、また、その処理ランクに応じて各フレームブロックについて適切な処理を実行している。その処理には後に説明する転送処理、廃棄処理、表示処理などが含まれる。図１においては、符号３５によって、シネメモリ２４から記憶装置３４へのデータ転送が示されている。ホストプロセッサ２２は、処理ランクに応じた適切なタイミングで、各フレームブロックをシネメモリ２４から読み出して記憶装置３４へ保存する制御を実行する。記憶装置３４は例えばハードディスクなどによって構成されるものであるが、この記憶装置３４がネットワーク上に接続されたファイルサーバーなどであってもよい。シネメモリ２４は、上記のように揮発性メモリとして構成されており、何らかの事態によってそこに格納されたデータが消失してしまう可能性があるが、そこに格納されたデータを不揮発性の記憶装置３４上に転送することによって、データを保全することが可能となる。ストレスエコー検査においては、各シーンごとに取り込まれる１又は複数のフレームブロック（動画像）が記憶装置３４上に格納されることになる。
【００４０】
ホストプロセッサ２２には、キーボードやトラックボールなどによって構成される操作パネル２６が接続されている。本実施形態においては、この操作パネル２６を利用して１又は複数のフレームブロックを取り込むための取込指令及び各フレームブロックについて付与するランクをユーザーによって入力することが可能である。心電計２８は生体における心電信号をモニタリングする機器であり、そこから出力される心電信号はＲ波検出器３０に送られる。Ｒ波検出器３０は、心電信号における本実施形態ではＲ波を検出し、その検出信号をホストプロセッサ２２に与えている。ホストプロセッサ２２はシネメモリ２４及び記憶装置３４上のデータを管理する際にその検出信号を参照しており、特にシネメモリ２４上において１又は複数のフレームブロックを特定する場合にはその検出信号に同期して処理を実行している。通信部３２は、ホストプロセッサ２２と外部装置との間で通信を行うためのモジュールである。
【００４１】
図２には、図１に示した装置の動作の一例が示されている。（Ａ）には心電信号が示されており、特にＲ波のタイミングが示されている。符号１００は隣り合う２つのＲ波の間の期間を表しており、これが１心拍に相当する。本実施形態では１心拍分のフレーム集合が１つの動画像を構成するブロック１０７として管理される。（Ｂ）にはシネメモリ２４上に順次格納されるフレーム列１０４が示されており、そのフレーム列１０４は各時点において取得・形成されたフレーム１０２によって構成される。
【００４２】
図２に示されるように、取込指令１０１がユーザーによって与えられると、その取込指令１０１が入力されたタイミングを基準として所定数あるいは任意数のブロック１０７が特定される。すなわち（Ｃ）にはシネメモリ上において特定されたブロックセット１０６が示されており、そのブロックセット１０６はこの例では時系列順で並んだ４つのブロック１０７によって構成される。第１番目のブロック１０７が＃１で表されており、以下順に＃２、＃３、＃４で２番目から４番目のブロック１０７が特定されている。
【００４３】
本実施形態においては、取込指令１０１が与えられたタイミングを含む心拍として先頭のブロック１０７が特定され、それに続く３つのブロックを含めてブロックセット１０６が特定されているが、取込指令１０１のタイミングを基準として複数のブロック１０６が特定される限りにおいて各種の変形例が考え得る。例えば取込指令１０１が与えられた以降の複数のブロックをもってブロックセット１０６としてもよいし、取込指令１０１が与えられたタイミングよりも先行する複数のブロックをもってブロックセット１０６とするようにしてもよいし、取込指令１０１が与えられたタイミング前後の複数のブロックをもってブロックセット１０６とするようにしてもよい。また、本実施形態では、時系列順で連続する４つのブロックがブロックセット１０６を構成していたが、もちろん離散的に存在する複数のブロックをブロックセット１０６の構成要素としてもよい。いずれにしても、このブロックセット１０６の特定により、ランク付与対象となる複数のブロック１０７が特定され、それが図１に示したホストプロセッサ２２によって認識されることになる。
【００４４】
以上のようにブロックセット１０６が特定されると、（Ｄ）に示されるように、４つのブロック１０７が４つの動画像として並列的に同期再生される。この場合においては各心拍ごとにループ再生が実行されており、後に図４を用いて説明するように表示画面上には４心拍に相当する４つの動画像が繰り返し同期再生されることになる。この場合においてはＲ波がスタートトリガとして利用され、すなわち各心拍におけるＲ波を再生スタート時点として各心拍の動画像が並列的に繰り返し再生されることになる。ちなみに、Ｒ波によらずに他の基準時点をもってブロック１０７の特定あるいは再生タイミングの指定を行わせるようにしてもよい。
【００４５】
（Ｅ）にはユーザーによって指定されたランクの一例が示されている。すなわち表示画面上において４つの動画像を相互に対比して、臨床的に見て、より重要である、重要である、あまり重要でない、重要でない、などの評価結果をランクとしてユーザー指定させることができる。本実施形態においてはＡ，Ｂ，Ｃ，Ｄの４つのランクを選択可能であり、ここでランクＡが最も重要あるいは最も優先度の高い属性を表しており、以下順にランクＢ、ランクＣ、ランクＤとなっており、ランクＤが最も優先度の低いあるいはあまり重要でない属性を意味する。ここで、後の表示順位との関係ではランクＡはブロックセット１０６の中で１つだけ指定されるのが望ましいが、例えば複数のランクＡが設定された場合においてはその指定の順番で同じランク内の優先度を定めるようにしてもよい。図２に示す例では、ブロック＃１についてランクＢが付与され、ブロック＃２についてランクＡが付与され、ブロック＃３についてランクＣが設定され、ブロック＃４についてランクＤが設定されている。
【００４６】
以上のようにユーザーによって各ブロックごとにランクが定められると、（Ｆ）に示されるように、各ブロックごとにそれに付与されたランクに応じた処理が適用される。
【００４７】
図２に示す例では、ランクＡについては、即時転送１１０ａ及び検査終了まで上書き禁止１１０ｂとされる。即時転送１１０ａは、現在の取込工程の最後あるいは次の取込工程の最初において（特にリアルタイム超音波診断中に）、ブロックをシネメモリから記憶装置へ転送させることを意味するものである。また、検査終了まで上書き禁止１１０ｂは、一連の取込工程及び画像評価の全部が終了してストレスエコー検査が完了した時点において（リアルタイム超音波診断の必要性がなくなってそれが終了した後に）、上書き禁止を解除してシネメモリ上における当該ブロックの記憶領域を開放させる処理を意味する。また、ランクＢについては、繰り延べ転送１０８ａ及び検査終了まで上書き禁止１０８ｂとされる。繰り延べ転送１０８ａは、上記同様に、一連の取込工程及び画像評価の全部が終了してストレスエコー検査が完了した時点において（リアルタイム超音波診断の必要性がなくなってそれが終了した後に）、ブロックをシネメモリから記憶装置３４へ転送することを意味する。また、検査終了まで上書き禁止１０８ｂは、上記１１０ｂと同じである。上書き禁止のタイミングに関してはランクＡ及びランクＢも同じであるが、転送タイミングについてはランクＡとランクＢとでは大きく異なっている。つまり、ランクＡの場合には早期にブロックの転送が行われるため、そのブロックが確実に保全されることになる。ブロックＢについては繰り延べ転送となるため、データの保存あるいは保全という観点から見れば優先度は低いが、そのような繰り延べ転送によってホストプロセッサに生じる負荷の集中を防止し、また所定タイミングでの後のブロック保存を可能とするものである。繰り延べ転送のタイミングは、複数の取込工程の終了後（リアルタイム超音波診断の終了後）であって、画像観察を行う前あるいは画像観察の最中に設定することもできる。データの廃棄タイミングは、次の患者についての検査開始前のタイミングに設定することもできる。つまり、各タイミングは、プロセッサの負担、データ保全、記憶空間の開放などの観点から適切なタイミングに設定される。
【００４８】
一方、ランクＣが設定された場合には、繰り延べ転送１１２ａ及び検査終了まで上書き禁止１１２ｂとされる。繰り延べ転送１１２ａについては上記の１０８ａと同一であり、検査終了まで上書き禁止１１２ｂについても上記の１０８ｂ，１１０ｂと同じである。ランクＤが設定された場合には、当該ブロックについては即時廃棄１１４ａとなり、すなわち即時の上書き許可１１４ｂがなされることになる。すなわち、このランクＤが設定されたブロックについてはこの図２に示す例においては転送対象からは除外され、またそのブロックについてはそれが格納されている記録領域が直ちに開放されることになる。
【００４９】
また、後に図５を用いて説明するように、本実施形態においては、付与されたランクにしたがって表示順位を変更する管理１１６がなされており、これについては後に説明する。
【００５０】
各ランクに対応付けられた処理内容に関してはユーザーによってカスタマイズをすることが可能であり、例えば図２に示す例においてランクＡからランクＣまでだけを利用可能するようにしてもよいし、また、それぞれのランクについて上記とは別の定義を与えるようにしてもよい。様々な定義をあらかじめ用意しておいて、ユーザーによって、使用するランクの個数及びその内容を選択させるようにしてもよい。いずれにしても、ユーザーによって実際に動画像を対比観察してランクを付与させ、すなわちユーザーによって重要度あるいは優先度を各動画像について与えることにより、そのような重要度に応じて適切な内容及びタイミングで各処理を実行させることができる。よって、超音波診断装置を効率的に動作させることができ、またより重要度の高いデータについてはより適切な保全を行えるという利点がある。ストレスエコー検査においては患者に生じる負担が大きいため、再検査は極力避けなければならないが、上記の実施形態によれば、データの取込エラーやデータ管理上のミスを効果的に防止でき、患者に対する再検査という負担の発生を回避できるという臨床的な効果もある。また、シネメモリ２４上における記憶領域を有効活用できるので、シネメモリ２４の記憶領域を不必要に増大させる必要がなくなり、メモリの規模あるいはメモリの管理負担を軽減できるという利点もある。ちなみに、上記で説明したシネメモリの管理にあたって、シネメモリをあらかじめ複数のシーンに対応した複数のバンクあるいはセグメントに分割し、そのような各部分記憶領域に対して各取込工程で取得された１又は複数のブロックを格納するようにしてもよい。
【００５１】
図２においては、ストレスエコー検査における複数の取込工程における特定の取込工程で実行されるプロセスが示されていた。図２に示されるようなプロセスが各取込工程で実行され、全シーンについて必要な動画像の取得が完了すると、その後に、後に説明するように動画像の対比観察によるストレスエコー診断（医学的な臨床的評価）が実施されることになる。
【００５２】
図３には、シネメモリに関してデータ管理の概念が示されている。（Ａ）にはシネメモリ２４上における記憶内容が示されており、上述したように各取込工程ごとにブロックセット１０６が格納される。ブロックセット１０６を構成する各ブロック１０７は、（Ｂ）に示されるように、時系列順の複数のフレーム１０２によって構成されるものである。各フレーム１０２に対しては必要に応じてフレーム属性情報１０５が付与される。フレーム属性情報１０５には望ましくはＲ波検出情報が含まれる。一方、（Ａ）に示されるように、シネメモリ２４のデータ記憶を管理するために属性記憶部３６が設けられている。この属性記憶部３６は、本実施形態において、プロセッサ２２が管理するメモリ（図示せず）上に構築されているが、その属性記憶部３６がシネメモリ２４上あるいは記憶装置３４上に構築されてもよい。いずれにしても、属性記憶部３６上においては、各ブロック１０７ごとにブロック属性情報１２０が管理され、そのブロック属性情報１２０はランクを表す情報を含むものである。また、（Ｃ）で示されるように、各ブロックセット１０６ごとにセット属性情報１２２が管理されており、この例ではセット属性情報１２２がステージ番号及びビュー番号を特定する情報を含んでいる。
【００５３】
図１に示したホストプロセッサ２２は、図３に示されるような属性記憶部３６上に管理された情報にしたがって図２に示したような処理内容を遂行する。なお、図３に示されるデータ管理構造は一例であって、他のデータ管理構造を採用することもできる。ホストプロセッサ２２は、上述したように、心臓についての心電信号におけるＲ波を基準として各ブロックの区分を行っているが、他の生体情報を利用してもよい。
【００５４】
図４には、ランク付与時の表示内容の一例が示されている。すなわち、図２に示したように、ユーザーによる取込指令１０１によってブロックセットが特定されると、それを構成する複数のブロックに対応する複数の動画像が図４に示すような表示形態で同期再生表示される。図４に示すランク付与表示４２は表示画面４０上に表示されるものであり、ランク付与表示４２はこの例では上下左右に並んで集合表示された４つの動画像をもって構成される。各動画像は１心拍分のデータで構成され、各動画像はループ再生される。その際、各動画像はＲ波に同期して再生されている。ユーザーは、このようなランク付与表示４２を観察しながら、臨床的にみてより重要度を評価することにより、図４に示されるように適切なランク４４を各動画像に対して付与することができる。この場合において、それぞれのランク（例えばランクＡ）については１回のみ指定を許容するルールを定めてもよいし、それぞれのランクを複数回指定できるようにルールを定めてもよい。なお、このように一旦設定されたランクを後にユーザーによって修正できるようにしてもよい。例えば他の取込工程で得られた動画像との対比観察の上で、より適当な動画像があればそのランクを最上位のランクＡに変更してもよい。
【００５５】
図５には、ストレスエコー検査において採用されるデータ管理構造（シネメモリ４４又は記憶装置３４の記憶空間に相当）５０の一例が概念的に示されている。ｉは各ステージを表しており、この例では４段階のステージが定められている。このステージは患者に対して一定の負荷を与える場合における各時期に相当するものである。ｊはビュー番号を表しており、この例では４つのビューすなわち４つのアングルが設定されている。各ビューごとに生体表面に対して当てられるプローブの位置あるいは姿勢が異なる。例えば心臓については４つの方向からみた断層画像が取得されることになる。よって、４つのステージ及び４つのビューによって４×４＝１６（個）のシーンが定められ、各シーンごとに図２に示したような取込工程が実行されることになる。各取込工程においては１又は複数のブロックが取得され、各ブロックについては図５に示されるように、ユーザーによってランクが付与される。本実施形態では、ランクのレベルに合致した表示順位が設定されており、すなわちランクＡ、ランクＢ、ランクＣの順で各シーンごとの表示順位が設定される。ここで１つのシーンにおいて同じランクが重複して設定された場合には、上述したようにより指定順序の早い方あるいは遅い方がより上位の表示順位となる。
【００５６】
ちなみに、図５に示したようなデータ管理構造５０は複数の取込工程の終結時点で、シネメモリ２４上に構築される。その状態では、リングバッファ上において各ブロックについて上書き禁止状態とされている。その後の複数の動画像の同期ループ再生（ストレスエコー診断）に当たっては、シネメモリから必要なデータが読み出される。但し、そのデータの内で一部又は全部を記憶装置３４から読み出すようにしてもよい。
【００５７】
図６には、ストレスエコー診断における表示例が示されている。表示画面４０上にはストレスエコー診断表示５１が表示される。このストレスエコー診断表示５１は図６に示す例において２つの動画像を並べて表示したものであって、その前提として２つのシーンがユーザー選択されている。もちろん、３つあるいは４つ以上のシーンが選択されて、それらに対応付けられた複数の動画像が同時表示されてもよい。この例では符号５２で示されるようにステージ１かつビュー１のシーンで特定される動画像と、符号５４で示されるようにステージ３かつビュー１で特定されるシーンに対応する動画像とが同期ループ再生表示されている。それらの動画像は、本実施形態において心電信号のＲ波に同期して再生されている。ここで、当初表示されるいずれの動画像も原則として表示順位が最も高いランクＡに対応づけられたものである。つまり、ストレスエコー診断表示にあたっては、各シーンごとに格納された複数の動画像の中から表示対象をユーザーによりいちいち選択させる必要はなく、自動的により重要な動画像を優先的に筆頭動画像として画面表示させることができる。もちろん、例えば、ランクＡで表示された動画像が不適切であった場合あるいは他の動画像についても観察したい場合には、当該シーンに対応付けられた後順位の動画像を順次ループ再生させることができる。なお、あるシーンについてランクＡが付与された動画像が存在しない場合にはランクＢ（あるいはより後順位のランク）が付与された動画像が最初に表示される。ちなみに、図６で示されるように、ストレスエコー診断表示５１にあたって既にブロックの転送が完了した動画像については保存済みマーク５５を表示させるようにしてもよい。あるいは必要に応じて管理上の他のデータを画面上に表示させるようにしてもよい。その管理上のデータとしてはランクを特定する情報などをあげることができる。
【００５８】
図７には、記憶装置３４内の記憶領域が概念的に示されている。図７に示す例では記憶装置３４上に複数の検査ファイル５６が格納されている。各検査ファイル５６はある患者についての１回のストレスエコー検査に対応する。検査ファイル５６は、当該ストレスエコー検査に関して検査情報を有しており、その検査情報は、例えば検査番号、患者名、日時、検査条件などである。また検査ファイル５６においては、各ブロックについてそれに付与されたランク情報が対応付けられている。したがって、過去に行ったストレスエコー検査について再度ストレスエコー診断を行うような場合においても各ブロックごとに付与されたランクを参照して、各ブロックについて適切な処理を行える。特に、表示順位の制御を適切に行えるという利点がある。
【００５９】
図８には、ストレスエコー検査についての全体工程がフローチャートとして示されている。
【００６０】
まず、Ｓ１０１では、初期設定がユーザーによって行われる。この例では、ステージ数ｉ、ビュー数ｊ及び各ランクについての処理内容の定義（カスタマイズ可能）が設定される。ここで、設定を行わないパラメータについてはデフォルト値が設定される。
【００６１】
Ｓ１０２では、シーンがユーザーによって選択される。Ｓ１０３では、そのシーン選択１０２に連動してリアルタイムで（つまり超音波の送受波を行いながら画像表示を行う方式で）超音波診断が開始され、これによって画面上にリアルタイムでＢモード画像が表示されることになる。ちなみに、より前の段階から超音波の送受波を行わせるようにしてもよい。
【００６２】
Ｓ１０４では、ユーザーによる取込操作の入力がなされたか否かが判断される。例えばユーザーによってフリーズスイッチが操作された場合、取込指令が入力されたと認識される。すると、Ｓ１０５においては、あらかじめ固定設定されたあるいはその時の状況に応じて可変設定されたパラメータｋに基づき、ｋ心拍分のフレーム列すなわちｋ個のブロックが取り込まれる。具体的にはシネメモリ上においてそのようなｋ個のブロックが特定される。Ｓ１０６では必要な心拍分のブロックがシネメモリ上に格納された時点でリアルタイム超音波診断が停止されフリーズ状態となる。すなわち送受信が停止される。
【００６３】
Ｓ１０７では、上記のように特定された複数のブロックに対応する複数の動画像が表示画面上に自動的に表示される。すなわち、それらの動画像がＲ波に同期して並列ループ再生される。ループ再生は、１心拍の動画像の表示を完了した後に再びその１心拍の最初から再生を行うものである。但し、その再生開始トリガはＲ波である。Ｓ１０８では、ユーザーによって再度の取込を行うか否かが選択され、再度の取込を行う場合には上記のＳ１０４以降の工程が再び実行される。
【００６４】
一方、そのような再度の取込を行なわない場合、すなわち表示された複数の動画像が臨床的にみて適切なものを含む場合には、Ｓ１０９において、各心拍に相当する動画像に対してユーザーによって個別的にランクが設定される。そして、Ｓ１１０においては、全シーンについて取込工程が実行されたか否かが判断され、全シーンについての取込が完了していない場合には、上記のＳ１０２からの各工程が繰り返し実行されることになる。
【００６５】
Ｓ１１１においては、全シーンについての取込工程が完了した段階で、ストレスエコー診断（つまり画像対比観察による疾病診断）が実行される。すなわち、図６に示したように、ユーザーによって通常、複数のシーンが特定され、その複数のシーンに対応付けられたかつランクがより上位の１つの動画像が並列的に同時ループ再生されることになる。これによって、ユーザーすなわち医者はそのような動画像の対比観察から必要な臨床的な評価を行う。そして、そのような複数の動画像の対比観察が必要に応じて繰り返し実行されると、Ｓ１１２において検査終了の段階となる。このＳ１１２では、必要なデータ転送、データ廃棄なども処理がなされる。そして、Ｓ１１３においては次の患者に対してストレスエコー検査を行うか否かが判断され、行わない場合には本ルーチンは終了し、行う場合には再びＳ１０１からの各工程が繰り返し実行される。
【００６６】
図８においては、主にユーザーの観点から、ストレスエコー検査についての各工程を説明したが、図９には、ブロックの処理の観点から、ランクに応じた処理の内容がフローチャートとして示されている。Ｓ２０１においては、各ブロックごとにランクが認識され、ここでランクＡであれば、Ｓ２０２においてそのランクＡが付与されたブロックについては検査終了まで上書き禁止の状態とされ、Ｓ２０３においてそのブロックについては次のシーンの実行直後におけるデータ転送が実行される。すなわち当該ブロックについてはより保全の必要性が高いため、ランクが確定した時点で速やかにシネメモリから記憶装置への早い段階でのブロックの転送がなされることになる。この場合、現在の取込工程の最後にデータ転送を行ってもよいが、よりリアルタイム診断の再開を早めて検査時間を短縮するためにはランク付与の後に直ちに次ぎの取込工程を実行し、それと並行して必要なデータ転送を行わせるのが望ましい。
【００６７】
一方、Ｓ２０１においてランクＢであると判断された場合には、そのランクＢが付与されたブロックについては、Ｓ２０４において検査終了時まで上書き禁止状態とされ、Ｓ２０５では最初に設定された時点以降においてランクを変更するか否かが判断され、変更要求がなければＳ２０６において検査終了時に転送を行わせる処理が実行される。その一方においてランクに変更があればＳ２０９においてブロックの属性内容としてのランク情報が変更され、処理がＳ２０１へ移行する。
【００６８】
一方、Ｓ２０１においてランクＣであると判断された場合には、Ｓ２０７においてそのランクＣが付与されたブロックについては検査終了時まで上書き禁止状態とされる。そして、Ｓ２０８では、上記のＳ２０５と同様にランクを変更するか否かが判断され、変更しない場合にはシネメモリ上に検査終了まで保存された後に検査終了時以降においてはそれが上書き許可され、廃棄されることになる。また、Ｓ２０１においてランクＤであると判断された場合には、そのランクＤが対応付けられたブロックについては上書き禁止対象とはされずに、すなわち次の取込工程において上書き対象とされ、つまり即時廃棄となる。
【００６９】
以上のように、本実施形態においては、実際に動画像の観察を行わせてユーザーによってランクを付与させることにより、そのランクに応じて転送処理、廃棄処理及び表示順位付けを行うことができ、これによってデータ管理を合理的に行うことができると共に、重要なデータを適切に保全することが可能となる。更に表示順位付けによってユーザーの選択の負担を軽減し、また検査全体の時間を短縮化できるという利点がある。
【００７０】
図１に示す実施形態においてはＤＳＣ１６の後段にシネメモリ２４が設けられていたが、上記のランク付与及びランクに応じた処理の対象となるフレームあるいはブロックはＤＳＣ１６に入力されるフレームあるいはブロックであってもよい。それが図１０に示されている。なお、図１に示した構成と同様の構成には同一符号を付しその説明を省略する。
【００７１】
図１０において、受信部１４から出力されるフレーム（送受波フレーム）は符号２３Ａで示されるようにシネメモリ２４Ａに時系列順で格納される。シネメモリ２４Ａは上記の通りリングバッファの構造を有している。また同時ループ再生など必要からシネメモリ２４Ａ上におけるブロックの読み出しが必要となった場合には符号２５Ａで示されるようにシネメモリ２４Ａから必要なブロックが読み出されてＤＳＣ１６へ出力され、そのＤＳＣ１６において座標変換等の処理がなされてＢモード画像が構築される。そしてそのＢモード画像の各フレームは表示器２０に送られ、それらが動画像として表示されることになる。
【００７２】
またシネメモリ２４Ａ上におけるブロックの転送保存が必要となった場合には、符号３５で示されるようにホストプロセッサ２２の制御によってシネメモリ２４Ａから当該ブロックが記憶装置３４へ転送されることになる。上記実施形態においてはストレスエコー検査についての適用例を説明したが、上述したランク付与及びランクに応じた処理については、シネメモリ上に複数のブロックが格納され、各ブロックごとに最適な処理を行わせる場合一般について適用可能である。
【００７３】
なお、上記実施形態においては、取込指令をユーザーにより与えるようにしたが、心電波形上において異常検知をした場合にそれをトリガとして、あるいは各フレームを構成する画像データを解析して異常が検知された場合などにおいてそれらをトリガとして自動的に複数のブロックを取り込むようにしてもよい。また上記実施形態においてはランクをユーザーによって実際に付与するようにしたが、それを自動化することも可能である。例えば画像の内容などを画像解析によって判断し、より優先度の高い画像に対してより上位のランクが付与されるようにしてもよい。あるいはそのような解析結果を数値等で表して各動画像と共に表示し、ユーザーによってそのような数値を参照しながら各動画像ごとにランクを付与するようにしてもよい。
【図面の簡単な説明】
【００７４】
【図１】本発明に係る超音波診断装置の好適な実施形態を示すブロック図である。
【図２】各取込工程で実行される動作を説明するための説明図である。
【図３】シネメモリ上に格納されるデータ及びそれに関連付けられた属性情報を説明するための図である。
【図４】ランク付与に際して表示される画面内容を説明するための図である。
【図５】ストレスエコー検査において構築されるデータ管理構造を説明するための図である。
【図６】ストレスエコー診断において、対比観察される複数の動画像を説明するための図である。
【図７】記憶装置上に格納される複数の検査ファイルを説明するための図である。
【図８】図１に示した実施形態の動作を説明するためのフローチャートである。
【図９】ランクに応じた各処理を説明するためのフローチャートである。
【図１０】他の実施形態に係る装置構成例を説明するための図である。
【符号の説明】
【００７５】
２２  ホストプロセッサ、２４  シネメモリ、３４  記憶装置、１０２  フレーム、１０４  フレーム列、１０６  ブロックセット、１０７  ブロック。
【図１】
2005304758.tif 000003
【図２】
2005304758.tif 000004
【図３】
2005304758.tif 000005
【図４】
2005304758.tif 000006
【図５】
2005304758.tif 000007
【図６】
2005304758.tif 000008
【図７】
2005304758.tif 000009
【図８】
2005304758.tif 000010
【図９】
2005304758.tif 000011
【図１０】
2005304758.tif 000012